(57)【要約】【課題】マウスパッドなどを必要としない省スペースにおいて手先の動きのみで操作でき、埃やゴミなどの付着によるメンテナンスの必要性をなくし、3Ｄなどのソフトにも対応できるようにする。【解決手段】クリックボタン、縦スクロールホイールなどを有する半球状の操作部分内部に動きを同じくする保持も兼ねた球体を底部に設置した光学式読取装置によってカーソルの位置情報の信号を読み取り、さらに半球状操作部分下部に上下左右に稼動可能な水平スクロールホイールを設け、横スクロールや3Ｄソフトなどの操作、簡単な文字入力に用いる。【選択図】図３
2009026093.tif 000002
【特許請求の範囲】
【請求項１】
本体上部がクリック、スクロールなどの入力デバイスもつ半球状でその部分のみを傾斜させることでカーソルの動きをコントロールし、手先の動きのみで操作できマウスパッドなどを必要としない入力装置。
【請求項２】
請求項１において半球状操作部下部にも左右に回転、上下スライドするように可動するホイール形状の入力デバイスを水平に設置し３次元のＺ軸方向の入力にも対応できるようにしたパソコンの入力装置。
【請求項３】
請求項１において内部に操作部分と動きを同じくする球体を設置し、その表面下部に光学式読取装置において読み取ることの出来る信号を成型またはプリントによって施したものを底面から上に向けて設置した光学式読み取り装置によりそのブロック状の信号を読み取ることで正確な移動方向と速度を得ることができる。
【請求項４】
請求項２において、文字入力をする際は半角、全角、英数などを選択後、ホイールを左右に動かすと文字列が順に表示され、入力したい文字の所で下方向に押すことにより決定でき、短い文字列ならキーボードを使わなくても入力することができる入力装置。
【発明の詳細な説明】
【技術分野】
【０００１】
本発明はノートブックタイプパソコン、デスクトップパソコン等コンピューター全般の入力装置に関する。
【背景技術】
【０００２】
従来パソコン等のカーソルをコントロールする装置はホイール式、光学式、トラックボール式等があり、これらには次のような欠点があった。
【０００３】
コントローラを動かすための平らなスペースの確保ならびにマウスパッドが必要でありテーブル上、デスク上のスペースを有効に活用できない。
【０００４】
底部または上面のボール部分にチリ、ホコリを巻き込むなどして作動不良を起こす為、定期的に分解清掃もしくは買い替えるなどしなくてはならない。
【０００５】
カーソルを移動するためそれに合わせ何度も腕を動かさなくてはならない。
【０００６】
本体そのものが移動するため形状、重さが限られたものにならざるを得ない。
【０００７】
スクロール、左右クリック程度の操作しかできない。
【特許文献１】特開２００１−３０６２５２
【発明の開示】
【発明が解決しようとする課題】
【０００８】
マウスは操作するために一定以上の面積が必要であり、ホイール式は適度な抵抗力のあるマウスパッド、光学式は反射率が均一なマウスパッドが必要で長期間使用することによる磨耗などで不具合が出てくる場合があった。
トラックボールはボタンとの同時操作が困難であった。
そこで本発明は、従来のマウスの操作性を維持しながらマウスの操作面積と分解清掃の必要を無くし、新たにデバイスを追加することにより操作の利便性の向上させることを目的とする。
【課題を解決するための手段】
【０００９】
本発明の多機能入力装置は360度どの方向にも傾斜し、傾斜方向と傾斜量検出する半球形の操作部分にクリック、スクロールなどの入力デバイスを設けて、さらに底部と平行に回転するホイールを設置して横スクロールなどの操作を行うことができる。
【発明の効果】
【００１０】
コントローラを置くスペースさえ確保できれば使用可能なので、従来のマウスコントローラのようなコントローラを動かすための平らなスペースの確保ならびにマウスパッドが不要となりテーブル上、デスク上のスペースを有効に活用できる。
【００１１】
水平方向に設置した入力デバイスにより従来のマウスコントローラには無い入力操作を可能にする。
【００１２】
画面の大きなパソコンにおいてもカーソルの移動速度を変速できるので操作がしやすくなる。
【００１３】
従来のコントローラにおいては画面上のカーソルの移動量が大きくなるとそれに比例してマウスコントローラの移動量も大きくなっていたがこの入力装置なら操作面積は一定である。
【発明を実施するための最良の形態】
【００１４】
半球型の底部中央に支点にカーソルを動かしたい方向に傾斜させ、その傾斜角度により移動速度を自在に変えることができ細やかな操作が可能である。カーソルの動きを止めたいときは手を離し直立させる。
【００１５】
半球型の操作部分にはクリックボタン２、３、縦スクロールのためのホイール４、などを設け半球部分と動きを同じくすることで従来のマウスと同等の操作感が得られる。
【００１６】
上記半球型操作部分１に設置する入力スイッチは増減することができ、半球型の部分を変形させキャラクターなどにすることができる。
【００１７】
上記半球型操作部分１の下にそれと同程度の半径で半球型操作部分とは独立しており水平スクロールホイール５、つまり縦スクロールホイール４とは垂直方向にホイール型の入力デバイス５を設ける。
【００１８】
水平スクロールホイール５は左右両方向に回転するように0度から45度の間で動き、さらに上下方向にスライドするように動かすことができ、手を離した場合はばねなどの仕組みを用いて中立位置に戻る。
【００１９】
水平スクロールホイール５はパソコンなどでインターネットのホームページを閲覧しているときは横スクロールの操作に用いる。
【００２０】
水平スクロールホイール５はパソコンなどで３次元ソフトやそれらを用いたホームページを閲覧する際のＺ軸方向の入力デバイスとして用いることもできる。
【００２１】
水平スクロールホイール５はパソコンなどで文字入力をする際、半角、全角、英数などを選択後、ホイールを左右に動かすと文字列が順に表示され、入力したい文字の所で下方向に押すことにより決定する方法で文字入力することができる。
【００２２】
この多機能入力装置は図示していないコンピューターなどに接続されていて入力機器として用いられる。
【００２３】
本体への信号の送信はＵＳＢなどでの有線でも赤外線などを利用した無線でも可能であり、入力装置本体にＵＳＢソケットを設けることも可能である。
【００２４】
操作部分1の中心点と同じ場所から真下の同軸上に中心点を持つ操作部分1よりも小さい球体６を内部に設ける。
【００２５】
光学式の信号読取装置８で読み取るための信号を球体６の半分より下の部分に成型またはプリントなどにより設置する。
【００２６】
その球体６が稼動するのに差し支えない程度の大きめの直径で反対の曲面の開放部分を持つドーナツ型の保持材７でどの方向にも倒せるように保持する。
【００２７】
保持された球体６と底部より上方向に向けて設置された光学式読取装置８は常に一定の距離が保たれ信号を読み取る。
【図面の簡単な説明】
【００２８】
【図１】本発明の―例の斜視図である。
【図２】本発明の―例のブロック図である
【図３】本発明の―例の分解図である
【符号の説明】
【００２９】
１  操作部分
２  右クリック
３  左クリック
４  縦スクロールホイール
５  水平スクロールホイール
【図１】
2009026093.tif 000003
【図２】
2009026093.tif 000004
【図３】
2009026093.tif 000005